(57)【要約】【課題】本発明は、釣り場、展望台などの休憩施設を備える海上灯台構造物に関する。【解決手段】本発明による海上灯台構造物は、海底に設置されるベース、ベース上に複数の単位層で形成される多層構造物と、多層構造物の上側に設置される灯台を含む。【選択図】図１
2016079804.tif 000002
【特許請求の範囲】
【請求項１】
海底に設置される複数の支持台上に安着されるベースと、
前記ベース上に複数の単位層で形成される多層構造物と、
前記多層構造物の上側に設置される灯台を含み、前記単位層は結合プレートと、前記結合プレートの底面を支持し、相互間にすき間が形成されるように互いに離隔する複数の支柱を含み、前記結合プレートは中央に形成される支持部と、前記支持部の周囲に沿って前記支持部より薄い厚さを有するように前記支持部の外側に拡張形成されるフランジ部を含み、最下層の結合プレートの支持部が前記ベースの上側面に設けられる収容溝に挿入され、最下層の結合プレートのフランジ部は前記収容溝の周囲に沿って前記ベースの上側面に密着することを特徴とする海上灯台構造物。
【請求項２】
前記結合プレートは、複数の単位プレートが同一平面上で結合してなることを特徴とする請求項１に記載の海上灯台構造物。
【請求項３】
前記支柱の上段と下段は前記結合プレートの底面と上側面にそれぞれ形成される支柱溝に挿入されることを特徴とする請求項１に記載の海上灯台構造物。
【請求項４】
前記ベースの上側面に前記支持部を収容するための収容溝が陥没形成されることを特徴とする請求項１に記載の海上灯台構造物。
【請求項５】
前記多層構造物は、少なくとも一つ以上の単位層で形成され、海水面の下に浸る補強層と、前記補強層の上側に少なくとも一つ以上の単位層で形成され、海水面上に露出する展望層を含むことを特徴とする請求項１に記載の海上灯台構造物。
【請求項６】
前記展望層の周囲に沿って欄干が形成されることを特徴とする請求項５に記載の海上灯台構造物。
【請求項７】
前記展望層のうち何れか一つに船舶接岸施設が設けられることを特徴とする請求項５に記載の海上灯台構造物。
【請求項８】
前記展望層のうち何れか一つに、水中の物体をリアルタイムで表示する水中映像取得装置が備えられることを特徴とする請求項５に記載の海上灯台構造物。
【請求項９】
前記灯台の一側に、船舶の接近を感知する感知センサと、船舶に接近するときに警報音を発するアラームが設けられることを特徴とする請求項１に記載の海上灯台構造物。
【請求項１０】
前記多層構造物の一側にそれぞれの層を上下連通する通路が形成されることを特徴とする請求項１に記載の海上灯台構造物。
【請求項１１】
陸地から前記多層構造物の一側に延長される防波堤をさらに含むことを特徴とする請求項１に記載の海上灯台構造物。
【請求項１２】
前記防波堤は海底面に突出部が固定される基礎ブロックと、前記基礎ブロックの上側に安着される底プレートと、前記底プレートの上側に複数が積層、配列される単位ブロック及び前記単位ブロックの上側を覆うカバープレートを含み、前記単位ブロックは海水が通過できるように内部に空間部が形成された格子形態であることを特徴とする請求項１１に記載の海上灯台構造物。
【発明の詳細な説明】
【技術分野】
【０００１】
本発明は、海上に設置される灯台構造物に関し、より詳細には釣り場、展望台などの休憩施設を備えた海上灯台構造物に関する。
【背景技術】
【０００２】
従来の海上観光は自然的な海岸風景などを船舶に乗船した状態で通りながら鑑賞するなど断片的な一過性的な観光に過ぎず、余裕を持って一定時間あいだ滞留しながら周辺風景を眺望したり、釣りやスキューバダイビングなど海洋レジャーを楽しめる特別な海上構造物がなかった。
【０００３】
一方、船舶の安全運航のため、海上の指定された場所に灯台が設置される。このような灯台は夜間に船舶が灯台の位置を簡単に確認できるように灯台の一定の位置に照明灯を設置して海上に照明を照らすように構成され、船舶運航者は灯台の照明により、陸地の所在、遠近及び危険地域などの情報を把握することができる。
【０００４】
また、港湾の場合、防波堤が海岸の一側から海側に延長され、防波堤の終端に灯台が設置されるが、一般的には防波堤を基準に内海と外海が互いに分離され、防波堤の外海側に波力を弱めるための複数の消波ブロックが置かれる方式により施工される。
【０００５】
しかし、このような構造は内海の海水が外海と分離した状態になるため、内海と外海の海水が互いに入れ替わらず、内海の海水が汚染され、各種の汚物が積もる問題が発生しており、これによって内海の干潟などの生態系が破壊される問題も発生している。また、海水が防波堤構造物を通過できず、すべての波浪エネルギが反射されることによって防波堤構造物に大きい力が加えられ、防波堤構造物自体の耐久性が落ちる問題があり、押し寄せる波浪エネルギと反射される波が合わさって波高が高まることによって越波が発生する問題もある。
【０００６】
最近では防波堤を介して外海と内海の海水が自由に流通できるように防波堤を施工しているが、この場合も灯台が設置される防波堤の終端の部分は中が埋められたコンクリートブロックで施工され、自然な海水の流れに悪影響を及ぼしている実情である。
【０００７】
さらに、従来の灯台は海岸や島に設置されて夜間に照明を発する役割のみを果たし、海上観光や海洋レジャーのための付加施設は設置されていなかった。
【先行技術文献】
【特許文献】
【０００８】
【特許文献１】韓国登録特許第１０−０３０７２１８号公報
【特許文献２】韓国登録特許第２０−０４４４１６１号公報
【特許文献３】韓国登録特許第１０−１３７９０４０号公報
【発明の概要】
【発明が解決しようとする課題】
【０００９】
本発明は前述した問題点を解決するために案出されたものであって、展望層で海上観光や海洋レジャーを楽しめる海上灯台構造物を提供することに目的がある。
【００１０】
本発明の他の目的は、海水の流通が自由な防波堤の終端に灯台が備えられる海上灯台構造物を提供することにある。
【００１１】
本発明のまた他の目的は、灯台を支持する支持部を介して海水の流通が可能な海上灯台構造物を提供することにある。
【課題を解決するための手段】
【００１２】
前述した本発明の目的は、海底に設置されるベースと、前記ベース上に複数の単位層で形成される多層構造物と、前記多層構造物の上側に設置される灯台を含む海上灯台構造物を提供することによって達成され得る。
【００１３】
本発明の好ましい特徴によれば、前記ベースは海底に設置される複数の支持台上に安着され得る。
【００１４】
本発明の他の好ましい特徴によれば、前記単位層は結合プレートと、前記結合プレートの底面を支持する複数の支柱を含み、前記複数の支柱は相互間にすき間が形成されるように互いに離隔する。
【００１５】
本発明のまた他の好ましい特徴によれば、前記結合プレートは複数の単位プレートが同一平面上に結合してなる。
【００１６】
本発明のまた他の好ましい特徴によれば、前記結合プレートは中央に形成される支持部と、前記支持部の周囲に沿って前記支持部の外側に拡張形成されるフランジ部を含む。
【００１７】
本発明のまた他の好ましい特徴によれば、前記支柱の上段と下段は前記結合プレートの底面と上側面にそれぞれ形成される支柱溝に挿入される。
【００１８】
本発明のまた他の好ましい特徴によれば、前記ベースの上側面に前記支持部を収容するための収容溝が陥没形成される。
【００１９】
本発明のまた他の好ましい特徴によれば、前記多層構造物は、少なくとも一つ以上の単位層で形成され、海水面の下に浸る補強層と、前記補強層の上側に少なくとも一つ以上の単位層で形成され、海水面の上に露出する展望層を含む。
【００２０】
本発明のまた他の好ましい特徴によれば、前記展望層の周囲に沿って欄干が形成される。
【００２１】
本発明のまた他の好ましい特徴によれば、前記展望層のうち何れか一つに船舶接岸施設が設けられる。
【００２２】
本発明のまた他の好ましい特徴によれば、前記展望層のうち何れか一つに、水中の物体をリアルタイムで表示する水中映像取得装置が備えられる。
【００２３】
本発明のまた他の好ましい特徴によれば、前記灯台の一側に、船舶の接近を感知する感知センサと、船舶が接近するとき警報音を発するアラームが設けられる。
【００２４】
本発明のまた他の好ましい特徴によれば、前記多層構造物の一側にそれぞれの層を上下連通する通路が形成される。
【００２５】
本発明のまた他の好ましい特徴によれば、陸地から前記多層構造物の一側に延長される防波堤をさらに含み得る。
【００２６】
本発明のまた他の好ましい特徴によれば、前記防波堤は海底面に突出部が固定される基礎ブロックと、前記基礎ブロックの上側に安着される底プレートと、前記底プレートの上側に複数が積層、配列される単位ブロック及び前記単位ブロックの上側を覆うカバープレートを含み、前記単位ブロックは海水が通過できるように内部に空間部が形成された格子形態であり得る。
【発明の効果】
【００２７】
本発明による海上灯台構造物によれば、灯台の照明によって船舶の安全運航を案内することができる。
【００２８】
また、本発明による海上灯台構造物によれば、灯台の下部に形成される多層構造物を介して海水の流通が可能であり、外海から押し寄せる波浪エネルギを減少させることができる。
【００２９】
また、本発明による海上灯台構造物によれば、灯台の下部に海上観光や海洋レジャーを楽しめる複数の展望層を形成することによって、観光商品化による利益創出が可能である。
【００３０】
また、本発明による海上灯台構造物によれば、海岸の一側から灯台まで休憩施設や船舶接岸施設など各種便宜施設を備えた防波堤が延長施工されることによって、単に灯台としての機能だけではなく、海上観光や海洋レジャーなど多様な用途に活用され得る。
【図面の簡単な説明】
【００３１】
【図１】本発明の一実施形態による海上灯台構造物の斜視図である。
【図２】本発明の一実施形態による海上灯台構造物の側面図である。
【図３】本発明の一実施形態による海上灯台構造物の正面図である。
【図４】本発明の一実施形態による海上灯台構造物の平面図である。
【図５】本発明の一実施形態による海上灯台構造物の部分拡大図である。
【図６】図５の断面図である。
【発明を実施するための形態】
【００３２】
図１は、本発明の一実施形態による海上灯台構造物の斜視図であり、図２は、本発明の一実施形態による海上灯台構造物の側面図であり、図３は、本発明の一実施形態による海上灯台構造物の正面図である。また、図４は本発明の一実施形態による海上灯台構造物の平面図である。
【００３３】
図１ないし図４に示すように、本発明の一実施形態による海上灯台構造物１００は陸地から離隔して海上に設置され、防波堤６００により陸地と連結され得る。
【００３４】
この際、海上灯台構造物１００は海底に設置されるベース３００と、ベース３００上に複数の単位層で形成される多層構造物４００、及び多層構造物４００の上側に設置される灯台５００を含む。
【００３５】
この際、ベース３００はパイル（ｐｉｌｅ）形態で海底に垂直に設置される複数の支持台２００上に安直されること好ましく、捨石によって支持されることもできる。
【００３６】
防波堤６００の一側には船舶接岸施設（図示せず）が設置され得、防波堤６００の上側面は道路や散策路または公園などとして活用されたり一部の区間が釣り場などのレジャー施設として活用され得る。さらに、多層構造物４００を成すそれぞれの単位層にも休憩施設や船舶接岸施設、または釣り場や海洋レジャー施設が備えられ得る。
【００３７】
本発明は防波堤６００の形状及び構造によって限定されない。したがって、公知の防波堤構造物がすべて適用され得る。好ましくは、内海と外海の海水が構造物を介して流通できる構造の防波堤６００が適用されることが好ましい。
【００３８】
陸地から海上に延長された防波堤６００の端部に多層構造物４００が施工され、灯台５００はこの多層構造物４００の最上部に設置される。すなわち、灯台５００が設置される多層構造物４００は防波堤６００の端部から海上に突出するため、多層構造物４００も海水の自然の流れを止めない方式で施工されることが好ましい。
【００３９】
このため、多層構造物４００の下部を支持する複数の支持台２００は相互間にすき間が形成されるように互いに離隔して設置されることが好ましい。また、多層構造物４００は結合プレート４１０と、結合プレート４１０の底面を支持する複数の支柱４２０を含む単位層が上下複数個で積層してなるが、結合プレート４１０を支持する複数の支柱４２０も相互間にすき間が形成されるように互いに離隔して設置される。この際、海水は支持台２００の間、または支柱４２０の間のすき間を介して自然に流通され得る。
【００４０】
本発明の一実施形態による海上灯台構造物１００は、従来の灯台構造物とは異なり、多層構造物４００の上部に灯台５００を設置するが、多層構造物４００を成すそれぞれの単位層は展望台や休憩施設などの海上観光、または釣り場などの海洋レジャー施設として活用され得ることを特徴とする。
【００４１】
以下、図５と図６を参照して本発明の一実施形態による海上灯台構造物をさらに詳細に調べる。
【００４２】
図５は、本発明の一実施形態による海上灯台構造物の部分拡大図であり、図６は、図５の断面図である。
【００４３】
本発明による一実施形態によれば、図５と図６に示すように複数の支持台２００が海底に垂直に設置される。この際、支持台２００の個数と幅及び高さなどの規格は必要に応じて多様に選択され得る。また、支持台２００は円形または多角形など多様な形態の断面形状からなる。
【００４４】
支持台２００の上部にベース３００が設置される。このベース３００は支持台２００と共に後述する多層構造物４００を支持する役割を果たし、海底面に安定的に安着されることが好ましい。ベース３００と支持台２００は一体で形成され得る。すなわち、ベース３００の底面から支持台２００が下向延長されるように突出形成され得る。必要に応じてベース３００と支持台２００がそれぞれ個別に製造されることも可能であり、この場合、支持台２００の上段がベース３００の底面に設けられる溝（図示せず）に挿入されてベース３００の流動が防止されるようにすることが好ましい。
【００４５】
ベース３００の上部に多層構造物４００が安着される。多層構造物４００は複数の単位層が積層されてなり、単位層は結合プレート４１０と結合プレート４１０の下部を支持する複数の支柱４２０を含んで成る。
【００４６】
多層構造物４００を成す単位層の個数、結合プレート４１０の幅と厚さ、支柱４２０の高さなどの規格は必要に応じて適切に選択することができる。この際、多層構造物４００の上部を成す複数の単位層は海水面上に露出され、休憩施設や観光・レジャー施設が設置される展望層４０１を成す。展望層４０１の下部には複数の単位層が海水面の下に浸って、展望層４０１を支持する補強層４０２を成す。
【００４７】
結合プレート４１０は多様な形態からなる。図面には円形プレート形状の結合プレートを示しているが、必要に応じて楕円形や多角形など多様な形態で成すことができるのはもちろんである。
【００４８】
本発明の一実施形態による結合プレート４１０は中央に形成される支持部４１１と、支持部４１１の周囲に沿って支持部４１１の外側に拡張形成されるフランジ部４１２を含む。支持部４１１は複数の支柱４２０が支持される部分である。したがって、剛性補強のために支持部４１１の厚さはフランジ部４１２の厚さよりさらに厚いことが好ましい。また、支持部４１１の上側面と下側面には支柱４２０の下段と上段がそれぞれ挿入されるように支柱溝４１１ａが形成される。必要に応じてフランジ部４１２にも複数の支柱溝を形成して支柱４２０によって支持されるようにすることができる。さらに、支柱４２０が各層の結合プレート４１０を順に貫通して高さ方向に長く延長設置されることも可能である。
【００４９】
一方、結合プレート４１０の規格が非常に大きい場合には、製作と運搬及び施工が容易であるように、複数の単位プレート（図示せず）に分割することが好ましい。一例として、扇形形態の単位プレートを複数製作して設置場所まで運んだ後、同一平面上で円周方向に沿ってそれぞれの単位プレートを支柱４２０上に安着させることによって結合プレート４１０の形態を成すようにすることができる。この際、単位プレートの規格と形態及び個数は結合プレート４１０の規格、製作と運搬及び施工上の便宜に応じて適切に選択することができる。
【００５０】
最下層の結合プレート４１０はベース３００上に安着され、結合プレート４１０の支持部４１１がベース３００の上側面に設けられる収容溝３１０に挿入される。この際、ベース３００の収容溝３１０は結合プレート４１０の支持部４１１と対応する形状に形成されることが好ましい。結合プレート４１０のフランジ部４１２は収容溝３１０の周囲に沿ってベース３００の上側面に密着され、これによって最下層の結合プレート４１０の流動が防止される。
【００５１】
結合プレート４１０の上側面に形成される複数の支柱溝４１１ａにそれぞれ支柱４２０が挿入され、垂直に立てられる。このように立てられた支柱４２０の上段にまた結合プレート４１０が安着される。すなわち、結合プレート４１０と支柱４２０が交互に積層されることによって複数の単位層を成し、結合プレート４１０の上側面が各単位層の床面を成す。
【００５２】
複数の支柱４２０が結合プレート４１０の支持部４１１上に安着されるため、最下層の結合プレート４１０の支持部４１１に荷重が集中する。したがって、ベース３００を支持する支持台２００も最下層の結合プレート４１０の支持部４１１の対応領域に集中してコンパクトに配置されることが好ましい。
【００５３】
一層の結合プレート４１０上に共に垂直に立てられて、その上の層の結合プレート４１０を支持する複数の支柱４２０は、相互間にすき間が形成されるように互いに離隔して配置され、これによって支柱４２０の間のすき間を介して海水の流通が可能になる。
【００５４】
海水面上に露出される複数の結合プレート４１０は展望層４０１を成し、それぞれの結合プレート４１０上側には周囲に沿って欄干４１３を設置し、安全事故を防止すると共に周辺風景を鑑賞するようにすることができる。一例として、結合プレート４１０の上側面の周囲に沿って複数の垂直バー４１３ａを互いに離隔して設置し、それぞれの垂直バー４１３ａをロープ４１３ｂやチェインで連結して欄干４１３を形成することができる。他の例として、一つの展望層４０１の周囲に沿ってガラス窓または壁体を施工し、内・外部を区画し、食堂やカフェなど周辺風景を鑑賞できる休憩施設を設置することも可能であり、釣りやスキューバダイビングなどの海洋活動を楽しめる海洋レジャー施設を設置することもできる。
【００５５】
さらに、展望層４０１には水中の地形や魚など海洋生態系を観測できる水中映像取得装置（図示せず）が備えられる。この水中映像取得装置は、例えば水中カメラ、または超音波発散によって海底の物体を探知するソナー（ｓｏｎａｒ）などの装備からなり、利用者は展望層４０１で海底の景色を鑑賞することができる。
【００５６】
最上部の展望層４０１の中央には灯台５００が設置され、灯台５００が設置される最上層の結合プレート４１０は外観のために結合プレート４１０のフランジ部４１２の幅を相対的に狭く形成することが好ましい。
【００５７】
一方、霧が深い夜には遠い海から灯台５００の明かりを確認することが難しく、船舶が灯台５００の近くに接近した後には急速が減速が不可能であるため、灯台５００の一側に一定の範囲以内に船舶の進入可否を感知する感知センサ（図示せず）と、船舶が接近するとき警報音を発するアラーム（図示せず）を設けることが好ましい。
【００５８】
展望層４０１の下部に位置し、海水面の下に浸る複数の単位層は展望層４０１を支持する補強層４０２を成す。この補強層４０２は水深に応じて層数を適切に選択して施工することが好ましく、前述した展望層４０１と同様に結合プレート４１０と、結合プレート４１０を支持する複数の支柱４２０によって単位層が構成される。複数の支柱４２０は相互間に所定の間隔のすき間が形成されるように互いに離隔して配置され、このすき間を介して海水の流通が自由に行われる。
【００５９】
ここで、前述した支持台２００とベース３００、多層構造物４００と灯台５００及び防波堤６００は耐久性のために基本的に鉄筋コンクリートで施工されることが好ましい。
【００６０】
一方、多層構造物４００にはそれぞれの層を上り下りができるように上層と下層を互いに連通する通路４３０が形成されることが好ましい。一例として、図面に示すように結合プレート４１０のフランジ部４１２の一側に上下連通する通路４３０をそれぞれ貫通形成し、それぞれの通路４３０にはしご４３１を設置し得る。他の例として、中央の支柱４２０周辺に通路４３０を形成し、その周囲に沿って螺旋形の階段（図示せず）を設置することもできる。利用者は通路４３０を介して上り下りしながら、それぞれの展望層４０１ごとに設置された施設を自由に利用することができる。
【００６１】
本発明の一実施形態による海上灯台構造物１００は海上に単独で設置され得、この場合、展望層４０１の一部の領域には船舶接岸のための係留施設が設置され得る。
【００６２】
他の例として、陸地から海上に延長される防波堤６００の終端部に施工されることも可能であり、利用者は防波堤６００を通って歩いて、あるいは車両により、多層構造物４００の展望層４０１に進入することができる。防波堤６００の一端と展望層４０１は防波堤６００の一端から展望層４０１の結合プレート４１０の一側を囲むように延長される連結部４４０によって互いに連結される。この際、通行に不便とならないように防波堤６００と連結部４４０、また連結部４４０が設置される展望層４０１の上側面が同一平面を成すようにすることが好ましい。
【００６３】
さらに、防波堤６００の一部あるいは全体区間を船舶接岸施設と釣り場、公園などの休憩・休養施設として形成することによって、展望層４０１の各種施設と共に観光及び海洋レジャー空間として機能するようにすることができる。
【００６４】
本発明による防波堤６００は公知の防波堤構造物が適用され得る。図面に示す実施形態の場合、海底の床面に突出部６１１が固定される基礎ブロック６１０と、基礎ブロック６１０の上側に安着される底プレート６２０、底プレート６２０の上側に複数が積層、配列される単位ブロック６３０及び単位ブロック６３０の上側を覆うカバープレート６４０を含む。この際、単位ブロック６３０は海水が通過できるように内部に空間部が形成された格子形態で構成される。
【００６５】
以上、本発明の実施形態について説明したが、本発明が属する技術分野で通常の知識を有する者は、本発明の特許請求の範囲を外れない範囲で多様に変形実施できるものと理解することができる。
【符号の説明】
【００６６】
１００  海上灯台構造物
２００  支持台
３００  ベース
４００  多層構造物
４０１  展望層
４０２  補強層
４１０  結合プレート
４２０  支柱
４３０  通路
４４０  連結部
５００  灯台
６００  防波堤
【図１】
2016079804.tif 000003
【図２】
2016079804.tif 000004
【図３】
2016079804.tif 000005
【図４】
2016079804.tif 000006
【図５】
2016079804.tif 000007
【図６】
2016079804.tif 000008